(57)【要約】【課題】ずれ落ちたときでも股漏れが起こり難いおむつを提供する。【解決手段】左右一対のレッグ部６Ａ、６Ｂを有するおむつ３０に使用される吸収体１０における股幅方向の両側縁部上に、前記吸収体の長手方向に略平行な方向に延在する液不透過性の立体ガード１５Ａ、１５Ｂと、該吸収体の長手方向に略平行な方向に延在して前記両側縁部を前記長手方向に収縮させることができる股部弾性部材１７ａ、１７ｂとを配し、かつ、これらの相対的な位置関係を、前記立体ガードを前記吸収体上に倒伏させたときに、該立体ガードの自由端が、前記股部弾性部材のうちで該立体ガードと同じ側にあるものの中で最も外側の股部弾性部材よりも前記股幅方向の内側に位置するようにする。【選択図】　　　図１
2004049765.tif 000002
【特許請求の範囲】
【請求項１】
液透過性の表面シートと、液不透過性の防漏シートと、前記表面シートと前記防漏シートとの間に配置された吸収体と、着用時に着用者の鼠けい部よりも大腿部側に延出して大腿部周りに配される左右一対のレッグ部とを具備し、前記吸収体が、前記一対のレッグ部の一方に懸かる第１レッグ領域と、前記一対のレッグ部の他方に懸かる第２レッグ領域とを有するおむつであって、
前記吸収体における股幅方向の両側縁部上に、前記吸収体の長手方向と略平行な方向に延在する液不透過性の立体ガードと、前記第１レッグ領域または前記第２レッグ領域と重なりつつ該吸収体の長手方向と略平行な方向に延在して前記両側縁部を前記長手方向に収縮させることができる股部弾性部材とが配され、
前記立体ガードを前記股幅方向の外側から前記吸収体上に倒伏させたときに、該立体ガードの自由端が、前記股部弾性部材のうちで該立体ガードと同じ側にあるものの中で最も外側の股部弾性部材よりも前記股幅方向の内側に位置するおむつ。
【請求項２】
前記立体ガードが、着用時に、前記股幅方向の外側から該股幅方向の内側に向かって斜めに張り出す請求項１に記載のおむつ。
【請求項３】
前記股部弾性部材が、前記第１レッグ領域または前記第２レッグ領域を前記長手方向に横切る請求項１または請求項２に記載のおむつ。
【請求項４】
前記吸収体が、着用時に前記第１レッグ領域および前記第２レッグ領域の屈曲を補助する少なくとも１対の屈曲手段を備え、
前記立体ガードを前記股幅方向の外側から前記吸収体上に倒伏させたときに、該立体ガードの自由端が、前記屈曲手段のうちで該立体ガードと同じ側にあるものの中で最も内側の屈曲手段における前記股幅方向の最内側縁上、または前記最内側縁よりも外側に位置する請求項１〜３のいずれかに記載のおむつ。
【請求項５】
着用時に着用者の腹側に位置する領域と、着用時に着用者の背側に位置する領域とが、予め両脇で互いに接合されている請求項１〜４のいずれかに記載のおむつ。
【発明の詳細な説明】
【０００１】
【発明の属する技術分野】
本発明は、着用者の股間および大腿部周りに吸収体が配されるタイプのおむつに関する。
【０００２】
【従来の技術】
シート上に吸収体が固着されているタイプのおむつ（以下、このタイプのおむつを単に「おむつ」という。）は、主に使い捨て用途に供されるものであるが、高い漏れ防止能を有していることが望まれる。
【０００３】
このため、多くのおむつでは、着用者の鼠けい部に当たる箇所よりも股幅方向内側に液不透過性ないし撥水性の立体ガードが設けられる。
【０００４】
また、着用時に着用者の鼠けい部よりも大腿部側に延出して大腿部周りに配される左右一対のレッグ部を設け、これらのレッグ部にレッグギャザーを形成することによって、股間からの排泄物の漏れ（以下、「股漏れ」という。）を抑制したおむつもある。
【０００５】
さらに、特開２００１−３４６８３０号公報には、着用者の股間に当てられる吸収体の他に、着用者の大腿部内側に当てられる第２吸収体（クッション材）を備えたおむつが記載されている、
【０００６】
【発明が解決しようとする課題】
しかしながら、おむつは常に一定の位置に装着されているものではなく、着用者の活動によって、あるいは排泄物の吸収に伴って、着用時の位置から下方にずれ落ちることが多々ある。
【０００７】
おむつがずれ落ちると、着用者の大腿部とおむつとの間に比較的大きな間隙が生じて股漏れが起こり易くなるという問題が生じる。
【０００８】
そこで、本発明は、ずれ落ちたときでも股漏れが起こり難いおむつを提供することを課題とする。
【０００９】
【課題を解決するための手段】
本発明者らは、吸収体に特定の弾性部材と特定の立体ガードとを設けることによって上記の課題を解決した。
【００１０】
以下、本発明について説明する。なお、本発明の理解を容易にするために添付図面の参照符号を括弧書きにて付記するが、それにより本発明が図示の形態に限定されるものではない。
【００１１】
本発明の第１の態様では、液透過性の表面シート（１２）と、液不透過性の防漏シート（１１）と、前記表面シートと前記防漏シートとの間に配置された吸収体（１０）と、着用時に着用者の鼠けい部よりも大腿部（３３）側に延出して大腿部周りに配される左右一対のレッグ部（６Ａ、６Ｂ）とを具備し、前記吸収体が、前記一対のレッグ部の一方に懸かる第１レッグ領域（１０ａ）と、前記一対のレッグ部の他方に懸かる第２レッグ領域（１０ｂ）とを有するおむつであって、前記吸収体における股幅方向（ＤＣ）の両側縁部上に、前記吸収体の長手方向（ＤＬ）と略平行な方向に延在する液不透過性の立体ガード（１５ａ、１５ｂ）と、前記第１レッグ領域または前記第２レッグ領域と重なりつつ該吸収体の長手方向と略平行な方向に延在して前記両側縁部を前記長手方向に収縮させることができる股部弾性部材（１７ａ、１７ｂ）とが配され、前記立体ガードを前記股幅方向の外側から前記吸収体上に倒伏させたときに、該立体ガードの自由端が、前記股部弾性部材のうちで該立体ガードと同じ側にあるものの中で最も外側の股部弾性部材よりも前記股幅方向の内側に位置するおむつを提供して、上記の課題を解決する。
【００１２】
上記の立体ガードおよび股部弾性部材を設けることにより、おむつが正規の位置に着用されているときには第１レッグ領域および第２レッグ領域を着用者の大腿部内側に押圧させることが可能になり、おむつがずれ落ちて当該おむつと大腿部との距離が広がったときには股部弾性部材によるリフティング効果を発現させることが可能になる。
【００１３】
このリフティング効果は股部弾性部材の収縮によって発現し、当該リフティング効果が発現すると、第１レッグ領域および第２レッグ領域が斜め上方に引き上げられて大腿部側に寄るので、おむつがずれ落ちた後でも立体ガードを大腿部に当接させることが可能になる。
【００１４】
その結果として、おむつがずれ落ちたときでも着用者の大腿部内側とおむつとの間に間隙が形成され難くなると共に、立体ガードによって排泄物の流下ないし滲出を抑制することが可能になるので、股漏れが抑制される。
【００１５】
本発明のこのような作用および利得は、次に説明する実施の形態から明らかにされる。
【００１６】
【発明の実施の形態】
以下、本発明のおむつに係る実施形態について、図面を参照しつつ具体的に説明する。
＜第１実施形態＞
図１は、本発明のおむつの第１実施形態を概略的に示す斜視図である。図示のおむつ３０はパンツ型おむつであり、当該パンツ型おむつ３０は、着用者の腹側に配される腹側部１、背側に配される背側部２、これら腹側部１と背側部２との間に位置する股部３、および着用者の鼠けい部よりも大腿部側に延出して大腿部周りに配される左右一対のレッグ部６Ａ、６Ｂの各領域に分けることができる。
【００１７】
腹側部１と背側部２との両側縁部が互いに接合されてサイドシール部４Ａ、４Ｂを形成し、これによって、ウエスト開口部５および一対のレッグ開口部６ａ、６ｂが形成されている。
【００１８】
ウエスト開口部５の下方には、腰回り全周に亘って、ウエスト開口部５の幅を可逆的に変化させることができる複数の腰部弾性部材７ａを備えたウエストギャザー７が形成されており、ウエストギャザー７の下方には、胴回り全周に亘って、複数の胴部弾性部材８ａ、８ｂを備えた胴回りギャザー８が形成されている。
【００１９】
また、レッグ開口部６ａには、全周に亘ってレッグギャザー９Ａが形成されており、レッグ開口部６ｂには、全周に亘ってレッグギャザー９Ｂが形成されている。
【００２０】
レッグギャザー９Ａは、レッグ開口部６ａの近傍に固定された第１脚部弾性部材９ａによって形成され、レッグギャザー９Ｂは、レッグ開口部６ｂの近傍に固定された第２脚部弾性部材９ｂによって形成されている。これらの第１脚部弾性部材９ａおよび第２脚部弾性部材９ｂは、それぞれ、着用時に着用者の体側に当たる領域から鼠けい部に当たる領域にかけて配されている。
【００２１】
最も外側の第１脚部弾性体９ａからレッグ開口部６ａにかけての領域が上述したレッグ部６Ａに相当し、最も外側の第２脚部弾性部材９ｂからレッグ開口部６ｂにかけての領域が上述したレッグ部６Ｂに相当する。
【００２２】
着用者の排泄物を吸収するために、パンツ型おむつ３０の内部には、腹側部１から股部３を経て背側部２に達する吸収体１０が配置されている。
【００２３】
この吸収体１０は、レッグ部６Ａに懸かる第１レッグ領域１０ａ、およびレッグ部６Ｂに懸かる第２レッグ領域１０ｂを有している。図１においては、これらの領域１０ａ、１０ｂにスマッジングを付してある。
【００２４】
吸収体１０における股幅方向の両側縁部それぞれの上には、当該吸収体１０の長手方向に略平行な方向に延在する液不透過性の第１立体ガード１５Ａ、１５Ｂ（図１には第１立体ガード１５Ｂのみが現れている。）が設けられている。第１立体ガード１５Ａは、レッグ部６Ａ側の側縁部上に配されており、第１立体ガード１５Ｂは、レッグ部６Ｂ側の側縁部上に配されている。
【００２５】
本明細書でいう「立体ガード」とは、排泄物の透過を抑制することができる液不透過性ないし撥水性のシートを利用して、吸収体１０に対して高さを有するように立ち上げられて形成され、その立ち上がっている部分で排泄物の移動を阻止する役割を担うものを意味する。
【００２６】
吸収体１０における股幅方向の両側縁部それぞれの外層シート２０側上方には、股部弾性部材１７ａまたは股部弾性部材１７ｂが４本ずつ設けられている。股部弾性部材１７ａは、レッグ部６Ａ側の側縁部の外層シート２０側上方に配されており、股部弾性部材１７ｂは、レッグ部６Ｂ側の側縁部の外層シート２０側上方に配されている。
【００２７】
図２および図３は、パンツ型おむつ３０を構成する各部材の平面配置を概略的に示す。図２は、パンツ型おむつ３０のサイドシール部４Ａ、４Ｂをそれぞれ剥離して緊張状態（後述する各弾性部材を伸張させた状態）の下に展開したものを着用者の肌に接する側から見たときのものであり、図３は、図２に示したものを裏面側から見たときのものである。
【００２８】
図２に示すように、パンツ型おむつ３０における外層シート２０は、長方形の両長辺の中央部にレッグ開口部６ａ、６ｂ（図１参照）形成用の湾入部が形成された形状を呈している。この外層シート２０の中央部に液不透過性の防漏シート（図示せず。）が固着され、その上に吸収体１０が配置され、当該吸収体１０上に液透過性の表面シート（図示せず。）が配されている。
【００２９】
吸収体１０は、上述のように第１レッグ領域１０ａと、第２レッグ領域１０ｂとを有しており、当該吸収体１０の長手方向ＤＬは、外層シート２０の長手方向と略一致している。なお、図２においては、領域１０ａ、１０ｂを判り易くするために、これらの領域にスマッジングを付してある。
【００３０】
吸収体１０における股幅方向ＤＣの側縁部上には、立体ガード用シート１５ａ、１５ｂと当該シート１５ａ、１５ｂの一端に固定された弾性部材（図示せず）とを有する第１立体ガード１５Ａまたは第１立体ガード１５Ｂが固定されている。
【００３１】
なお、図２においては、第１立体ガード１５Ａ、１５Ｂを構成する弾性部材の位置を判り易くするために該当箇所を曲線で示しているが、前述のような緊張状態下では、実際には当該箇所も直線的に延在する。
【００３２】
図２および図３に示すように、ウエストギャザー７（図１参照）を形成するための腰部弾性体２１が、外層シート２０における長手方向ＤＬの両端部にそれぞれ複数本ずつ固定され、胴回りギャザー８を形成するための胴部弾性体が、腰部弾性体２１よりも外層シート２０の長手方向内側に複数本ずつ固定されている。
【００３３】
各腰部弾性体２１は、それぞれ、外層シート２０を股幅方向ＤＣに横断している。これらの腰部弾性体２１がサイドシール部４Ａ、４Ｂ（図１参照）で所定の腰部弾性体２１と接合されて、環状を呈する複数の腰部弾性部材７ａが形成される。図１に示した例では、３つの腰部弾性部材７ａが形成されている。
【００３４】
また、胴回りギャザー８を形成するための胴部弾性体のうち、外側の複数本（以下、これらの胴部弾性体を「胴部弾性体２３ａ」という。）は、それぞれ、外層シート２０を股幅方向ＤＣに横断している。これらの胴部弾性体２３ａがサイドシール部４Ａ、４Ｂで所定の胴部弾性体２３ａと接合されて、環状を呈する複数の胴部弾性部材８ａが形成される。図１に示した例では、４つの腰部弾性部材８ａが形成されている。
【００３５】
胴回りギャザー８を形成するために胴部弾性体２３ａよりも内側に固定される胴部弾性体（以下、これらの胴部弾性体を「胴部弾性体２３ｂ」という。）は、吸収体１０と平面視上重なる領域を有し、この領域の中央部において寸断されている。図２では、胴部弾性体２３ｂにおいて吸収体１０と平面視上重なる領域のうち、寸断されていない領域を破線で示し、寸断されている箇所については図示を省略している。図３においても、上記寸断されている箇所の図示を省略している。
【００３６】
これらの胴部弾性体２３ｂがサイドシール部４Ａ、４Ｂで所定の胴部弾性体２３ｂと接合されて、円弧状を呈する複数の胴部弾性部材８ｂが形成される。図１に示した例では、８つの胴部弾性部材８ｂが形成されている。
【００３７】
なお、胴部弾性体２３ｂに代えて、胴部弾性体２３ａと同様の形状を有する弾性体を用いることもできる。
【００３８】
レッグ開口部６ａ、６ｂ（図１参照）を形成するために外層シート２０に設けられた２つの湾入部それぞれの近傍には、当該湾入部に略沿うようにして、レッグギャザー９Ａ、９Ｂを形成するための脚部弾性体２５が複数本ずつ固定されている。
【００３９】
個々の脚部弾性体２５は、腹側部１から股部３にかけて配された第１脚部弾性体２５ａと、背側部２から股部３にかけて配された第２脚部弾性体２５ｂとが、股部３において互いに接合されたものである。
【００４０】
レッグギャザー９Ａを形成するための脚部弾性体２５それぞれの一端が、サイドシール部４Ａにおいて自己の他端に接合されて、略環状を呈する複数の第１脚部弾性部材９ａが形成される。レッグギャザー９Ｂを形成するための脚部弾性体２５それぞれの一端が、サイドシール部４Ｂにおいて自己の他端に接合されて、略環状を呈する複数の第２脚部弾性部材９ｂが形成される。図１に示した例では、レッグ部６Ａ、６Ｂと腹側部１、背側部２、股部３との境界付近に第１脚部弾性部材９ａまたは第２脚部弾性部材９ｂが３つずつ形成されている。
【００４１】
図３に示すように、パンツ型おむつ３０では、上記の各弾性部材とは別に、吸収体１０における股幅方向の両側縁部それぞれの外層シート２０側上方に、前述した股部弾性部材１７ａ、１７ｂが設けられている。各股部弾性部材１７ａ、１７ｂは、第１レッグ領域１０ａまたは第２レッグ領域１０ｂと重なりつつ、吸収体１０の長手方向ＤＬと略平行な方向に延在しており、吸収体１０を長手方向ＤＬと略平行な方向に収縮させることができる。これらの股部弾性部材１７ａ、１７ｂは、第１レッグ領域１０ａまたは第２レッグ領域１０ｂを前記の長手方向ＤＬに横切って、少なくともパンツ型おむつ３０における股下領域３Ａ（図２および図３参照）を縦断していることが好ましい。
【００４２】
ここで、本明細書でいう「股下領域」とは、緊張状態下に保持されたおむつをその長手方向ＤＬに四等分したときの中央の２つの領域を意味する。パンツ型おむつについては、図２または図３に示したように、両脇のサイドシールを剥離した後に緊張状態に保持し、この状態下での長手方向ＤＬに四等分したときの中央の２つの領域を意味する。
【００４３】
股部弾性部材１７ａの各々は、同じ側に配されている脚部弾性体２５の各々と交差し、これらの交差部において脚部弾性体２５と接合されている。同様に、股部弾性部材１７ｂの各々は、同じ側に配されている脚部弾性体２５の各々と交差し、これらの交差部において脚部弾性体２５と接合されている。
【００４４】
図４（Ａ）は、図２に示すＩＶ−ＩＶ線に沿った概略断面図であり、パンツ型おむつ３０における厚さ方向での各部材の配置を概略的に示す。
【００４５】
同図に示すように、パンツ型おむつ３０における外層シート２０は、おむつの外形を定めるシートであり、１または複数のシート材によって形成される。図示の例では、第１シート２０ａと、その外側に配置されて当該第１シート２０ａと一体化された第２シート２０ｂとによって外層シート２０が構成されている。
【００４６】
第１シート２０ａおよび第２シート２０ｂとしては、例えば通気性を有する不織布が用いられる。必要に応じて、外層シート２０の外側に更に別のシートを重ねることができる。
【００４７】
上記の第１シート２０ａ上に防漏シート１１が固着され、その上方に表面シート１２が配されて、これら防漏シート１１と表面シート１２との間に吸収体１０が配置されている。また、防漏シート１１および表面シート１２それぞれの股幅方向側縁部は、サイドシート１３Ａ、１３Ｂによって被覆されている。図４（Ａ）には示されていないが、防漏シート１１および表面シート１２それぞれの長手方向側縁部も、サイドシートによって被覆されている。
【００４８】
なお、図４（Ａ）においては各シートを判り易くするためにこれらのシートを離隔させて描いているが、実際には、第１シート２０ａと防漏シート１１、防漏シート１１とサイドシート１３Ａ、１３Ｂ、および表面シート１２とサイドシート１３Ａ、１３Ｂは、それぞれ、平面視したときに重なる領域において互いに固着している。同様に、吸収体１０は、少なくとも防漏シート１１に接している。
【００４９】
防漏シート１１としては、液不透過性のフィルが用いられる。具体的には、ポリエチレンフィルム、ポリプロピレンフィルム等、吸収性物品用の防漏シートとして従来より使用されている熱可塑性樹脂製の液不透過性フィルムが用いられる。好ましくは、炭酸カルシウム、酸化チタン等からなる無機微粒子を上記の熱可塑性樹脂に配合して延伸、成形することで得られる蒸気透過性（透湿性）フィルムを用いる。
【００５０】
表面シート１２としては液透過性のシート、例えば天然繊維からなる織布、合成繊維からなる不織布、または、熱可塑性樹脂からなる開口フィルムが用いられる。乾燥時および湿潤時の肌触り、並びに経済性を勘案すると、合成繊維からなる不織布を用いることが好ましい。
【００５１】
当該合成繊維からなる不織布としては、吸収性物品の表面材として従来より使用されている湿式または乾式の合成繊維不織布、具体的にはポリエチレン繊維、ポリプロピレン繊維、ポリエステル繊維、ポリエチレン−ポリプロピレン複合繊維、ポリエチレン−ポリエステル複合繊維、ポリビニルアルコール繊維、レーヨン等の合成繊維を用いて製造される湿式または乾式不織布が挙げられる。
【００５２】
排泄物の吸収性を勘案すると、表面シート１２は親水化処理されていることが好ましい。親水化処理は、例えば、当業界で通常用いられる界面活性剤を塗布することによって行うことができる。
【００５３】
サイドシート１３Ａ、１３Ｂとしては、使い捨ておむつに通常使用される液不透過性または撥水性のシートを用いることができる。例えば、熱可塑性樹脂を溶融紡糸して得られる未延伸糸、または当該未延伸糸を延伸して得られる延伸糸に必要に応じてクリンピング処理を施し、その後に切断して得た短繊維同士を熱、または接着剤等によって点接着するか、または、水流、針等で互いに交絡させてなる不織布、すなわち、湿式法、乾式法、スパーンレース法、またはスパンボンド法によって形成された不織布を用いることができる。また、メルトブローンまたはスパンボンド成形法によって直接成形される不織布を用いることもできる。
【００５４】
上記の未延伸糸または延伸糸としては、ポリエチレン（ＰＥ）、ポリプロピレン（ＰＰ）、ポリエチレンテレフタレート（ＰＥＴ）等から形成された単一繊維または複合繊維を用いることができる。前記複合繊維としては、鞘芯型複合繊維や、並列型複合繊維、あるいは、熱または外力によって複数の繊維に分割する分割性複合繊維を用いることができる。
【００５５】
鞘芯型複合繊維としては、芯成分と鞘成分との組み合わせがＰＥＴ／ＰＥ、ＰＰ／ＰＥ、またはＰＥＴ／ＰＰ（いずれも、前者が芯成分、後者が鞘成分を表す。）であるポリオレフィン系鞘芯型複合繊維が挙げられる。
【００５６】
複合繊維からなる不織布の中でも、高弾性樹脂を芯に用い、低弾性および／または低融点樹脂を鞘に用いた鞘芯型複合繊維からなる不織布は、風合いおよび弾力性に優れ、また、生産性、安全性が高く、コストが低いことから、特に好適である。
【００５７】
吸収体１０としては、例えば、解繊パルプを主材として用い、これと吸水性ポリマーとを併用したものや、熱可塑性樹脂とセルロース繊維と吸水性ポリマーとの混合物等が用いられる。必要に応じて、これらの材料が、例えば一般的な吸収紙や、親水処理された低坪量の不織布（スパンボンド不織布、ＳＭＳ（スパンボンド−メルトブローン−スパンボンド）不織布、ＳＭＭＳ（スパンボンド−メルトブローン−メルトブローン−スパンボンド）不織布等）等によって上下から包まれる。
【００５８】
前述した第１立体ガード１５Ａ、１５Ｂは、上記の吸収体１０（表面シート１２）上に固着されている。また、外層シート２０および吸収体１０には、前述した各種の弾性体ないし弾性部材が固着されている。
【００５９】
第１立体ガード１５Ａ、１５Ｂは、矩形状を呈する液不透過性の立体ガード用シート１５ａ、１５ｂと、当該立体ガード用シート１５ａ、１５ｂの側縁部に固定された弾性体２７ａ、２７ｂとを有する。
【００６０】
この第１立体ガード１５Ａ、１５Ｂは、例えば、立体ガード用シート１５ａ、１５ｂの１つの長辺に沿って弾性体２７ａ、２７ｂを固定し、この立体ガード用シート１５ａ、１５ｂにおける残りの長辺と２つの短辺とを、少なくとも吸収体１０上においては、表面シート１２ないしサイドシート１３Ａ、１３Ｂに固着することによって形成することができる。
【００６１】
前述した各種の弾性体ないし弾性部材のうち、股部弾性部材１７ａ、１７ｂは防漏シート１１の内側表面上または外側表面上に固定することが好ましいが、外層シート２０に固定することも可能である。図４（Ａ）に示した例では、防漏シート１１の内側表面上に股部弾性部材１７ａ、１７ｂが固定されている。
【００６２】
脚部弾性体２５の各々は、例えば、第１シート２０ａと第２シート２０ｂとの間において、これらのシート２０ａ、２０ｂに固定される。図４（Ａ）には現れていないが、腰部弾性体２１および胴部弾性体２３ａ、２３ｂも、例えば、脚部弾性体２５と同様に第１シート２０ａと第２シート２０ｂとの間おいて、これらのシート２０ａ、２０ｂに固定される。
【００６３】
このような構造を有するパンツ型おむつ３０を前述のように展開して緊張状態の下に保持すると、図４（Ａ）に示すように、第１立体ガード１５Ａ、１５Ｂは股幅方向の外側から吸収体１０上に倒伏する。
【００６４】
弾性部材２７ａ、２７ｂが緊張状態から弛緩状態に移行すると、図４（Ｂ）に示すように、第１立体ガード１５Ａ、１５Ｂが立ち上がる。第１立体ガード１５Ａ、１５Ｂは、図４（Ｂ）に示すように、自然状態下においては股幅方向ＤＣの外側から内側に向かって斜めに張り出していることが好ましい。
【００６５】
パンツ型おむつ３０を構成している弾性体ないし弾性部材の各々は、例えば糸ゴム、平ゴム、弾性フィルム等からなり、いずれの弾性体ないし弾性部材も、当該弾性体ないし弾性部材を固定しようとするシートを緊張状態に保った状態で、当該シートの所定箇所に伸張状態の下に固定される。
【００６６】
そのため、着用していないときのパンツ型おむつ３０においては、いずれの弾性体ないし弾性部材も、シートに固定した際に比べて弛緩状態にある。その結果として、図１に示したウエストギャザー７、胴回りギャザー８、レッグギャザー９Ａ、９Ｂ、および第１立体ガード１５Ａ、１５Ｂが形成される。
【００６７】
パンツ型おむつ３０を着用すると、図５（Ａ）に示すように、吸収体１０中の第１レッグ領域１０ａおよび第２レッグ領域１０ｂが外層シート２０側に屈曲して、着用者の大腿部３３に当たる。そのため、排泄物が着用者の股間３５で吸収体１０に吸収される前に脚周りへ流下ないし滲出したとしても、当該排泄物を着用者の大腿部３３において吸収することができる。
【００６８】
着用者の活動によって、あるいは排泄物の吸収に伴って、パンツ型おむつ３０が着用時の位置から下方にずれ落ちたときには、正規の位置に着用されていたときに比べてパンツ型おむつ３０の身幅や股幅が狭くなって、第１脚部弾性部材９ａ、第２脚部弾性部材９ｂ、および股部弾性部材１７ａ、１７ｂが収縮する。また、第１立体ガード１５Ａ、１５Ｂを構成している弾性部材２７ａ、２７ｂ（図４（Ａ）または図４（Ｂ）参照）も収縮する。
【００６９】
パンツ型おむつ３０のずれ落ちによって、大腿部３３と第１レッグ領域１０ａまたは第２レッグ領域１０ｂとの間隙が拡がるが、同時に、股部弾性部材１７ａ、１７ｂの収縮によって当該股部弾性部材１７ａ、１７ｂによるリフティング効果が発現して、図５（Ｂ）中に矢印Ａで示すように、第１レッグ領域１０ａおよび第２レッグ領域１０ｂが斜め上方に引き上げられて、大腿部３３側に寄る。
【００７０】
弾性部材２７ａ、２７ｂの収縮によって第１立体ガード１５Ａ、１５Ｂが立ち上がると共に、上述のリフティング効果によって第１レッグ領域１０ａおよび第２レッグ領域１０ｂが大腿部３３側に寄るので、図５（Ｂ）に示すように、上記の間隙を第１立体ガード１５Ａ、１５Ｂによって埋めることができる。
【００７１】
したがって、たとえパンツ型おむつ３０がずれ落ちた場合でも、当該パンツ型おむつ３０と大腿部３３との間に間隙が生じ難く、また、立ち上がった状態で大腿部に当たっている第１立体ガード１５Ａ、１５Ｂによって排泄物の流下を抑制することが可能になるので、股漏れの発生が抑制される。
【００７２】
着用時に着用者の足の指が第１立体ガード１５Ａ、１５Ｂに引っ掛かると危険であるので、第１立体ガード１５Ａ、１５Ｂの高さは、概ね３ｍｍ〜４０ｍｍの範囲内とするとすることが好ましく、概ね３ｍｍ〜２０ｍｍの範囲内とすることが更に好ましい。第１立体ガード１５Ａ、１５Ｂの高さをこのように選定すると、第１レッグ領域１０ａおよび第２レッグ領域１０ｂを着用者の大腿部３３へ密着させることも容易になる。
【００７３】
このような第１立体ガード１５Ａ、１５Ｂによって上述のように股漏れを抑制するためには、股部弾性部材１７ａ、１７ｂの配設位置を次のように選定することができる。
【００７４】
すなわち、第１立体ガード１５Ａ、１５Ｂを股幅方向の外側から吸収体１０上に倒伏させたときに、第１立体ガード１５Ａ、１５Ｂの自由端が、股部弾性部材１７ａ、１７ｂのうちで当該第１立体ガード１５Ａ、１５Ｂと同じ側にあるものの中で最も外側の股部弾性部材１７ａ、１７ｂよりも股幅方向ＤＣの内側に位置するように、股部弾性部材１７ａ、１７ｂの配設位置を選定することができる。
＜第２実施形態＞
次に、本発明の第２実施形態のおむつについて、図６（Ａ）および図６（Ｂ）を参照しつつ説明する。
【００７５】
図６（Ａ）は、第２実施形態のおむつ５０を緊張状態に保持して、着用時に外表面となる側から見たものであり、図６（Ｂ）は、図６（Ａ）に示したＶＩ−ＶＩ線断面の概略図である。
【００７６】
図示のおむつ５０は展開型おむつであり、（１）外層シートを備えておらず、防漏シートと表面シートとサイドシートとによって外形が定められている点、（２）長手方向ＤＬの一方の端部に、オス材として機能する多数のフックを有するフック材４０が左右に２つずつ配置され、他方の端部に、フック材４０に対してメス材として機能する不織布４２が固定されている点、および、（３）股部弾性部材１７ａの外側に２本の補助弾性部材４４が配され、股部弾性部材１５ｂの外側にも２本の補助弾性部材４４が配されている点で、第１実施形態のパンツ型おむつ３０と大きく異なる。
【００７７】
他の構成はパンツ型おむつ３０の構成と同様であるので、図６（Ａ）または図６（Ｂ）に示した構成部材のうちで図１〜図３、図４（Ａ）、または図４（Ｂ）に示した構成部材と共通するものについては図１〜図３、図４（Ａ）、または図４（Ｂ）で用いた参照符号と同じ参照符号を付してその説明を省略する。
【００７８】
図６（Ｂ）に示すように、吸収体１０を構成する防漏シート１１およびサイドシート１３Ａ、１３Ｂは、パンツ型おむつ３０における防漏シート１１およびサイドシート１３Ａ、１３Ｂよりも股幅方向ＤＣに延長されており、サイドシート１３Ａ、１３Ｂの股幅方向側縁部は防漏シート１１における股幅方向側縁部上に接合されている。また、これらのシート１１、１３Ａ、１３Ｂは、長手方向ＤＬにも延長されている。
【００７９】
上記の補助弾性部材４４は、例えば図６（Ｂ）に示すように、サイドシート１３Ａ、１３Ｂと防漏シート１１との間に固定することができる。これらの補助弾性部材４４は、展開型おむつ５０の保形性を高めて、着用者の大腿部内側への領域１０ａ、１０ｂの密着性を向上させる。また、吸収体１０の側縁部から排泄物が溢れた場合でも、当該排泄物のおむつ５０外への漏出を防止する。
【００８０】
このような構成を有する展開型おむつ５０においても、当該おむつ５０が第１レッグ領域１０ａ、第２レッグ領域１０ｂ、脚部弾性体２５、第１立体ガード１５Ａ、１５Ｂ、および股部弾性部材１７ａ、１７ｂを有しているので、図１〜図５を用いて説明したパンツ型おむつ３０と同様に股漏れの発生を抑制することができる。
【００８１】
以上、第１および第２実施形態のおむつについて説明したが、第１立体ガード１５Ａ、１５Ｂと股部弾性部材１７ａ、１７ｂとの組み合わせによる股漏れ防止機能は、着用者の活動度が一般に高いパンツ型おむつに付与することが特に好適である。
【００８２】
本発明のおむつをパンツ型および展開型のいずれのタイプとする場合でも、当該おむつに前述した脚部弾性体２５を配するときには、脚部弾性体２５が吸収体１０を股幅方向ＤＣに横断していない構成にすることが好ましい。脚部弾性体２５が吸収体１０を股幅方向ＤＣに横断していると、当該脚部弾性体２５によって吸収体１０が股幅方向ＤＣ内向きに収縮されて、第１レッグ領域１０ａおよび第２レッグ領域１０ｂの大腿部３３への密着性が低下する恐れが生じる。
【００８３】
また、着用時に第１レッグ領域１０ａおよび第２レッグ領域１０ｂが外側に容易に屈曲するように、必要に応じて、前記の屈曲を補助する少なくとも１対の屈曲手段を併用することができる。
【００８４】
当該屈曲手段の具体例としては、例えば下記（１）〜（８）の手段が挙げられる。
（１）図７に示すように、防漏シート１１と表面シート１２との間の所望箇所に、吸収体１０が実質的に存在しない領域１４ａを帯状、線状、スリット状等に形成する。
（２）図８に示すように、吸収体１０の所望箇所に周囲よりも坪量の低い低坪量領域１４ｂを形成する。
（３）図９に示すように、吸収体１０の所望箇所に薄肉部１４ｃを形成する。
（４）図１０に示すように、吸収体１０中の所望箇所に低剛性材料１４ｄを配置する。
（５）図１１に示すように、吸収体１０の所望箇所に幅狭のエンボス線１４ｅを形成する。
（６）第１レッグ領域１０ａまたは第２レッグ領域１０ｂの股幅方向内側縁部近傍に、既に説明した脚部弾性体２５のような弾性体を配置する。
（７）図１２に示すように、吸収体１０の所望箇所を裏面（着用時に外側となる面）側に折り返し、折り返し部分に接着剤？１４ｆを塗布することによって、あるいは当該部分を融着させることによって、股幅方向ＤＣに接合させる。
【００８５】
なお、図７〜図１２に示した構成部材のうちで図４（Ｂ）に示した構成部材と共通するものについては、図４（Ｂ）で用いた参照符号と同じ参照符号を付してその説明を省略する。
【００８６】
上述した屈曲手段を設ける場合には、第１立体ガード１５Ａ、１５Ｂを股幅方向ＤＣの外側から吸収体１０上に倒伏させたときに、当該第１立体ガード１５Ａ、１５Ｂの自由端が、上記屈曲手段のうちで当該第１立体ガード１５Ａ、１５Ｂと同じ側にあるものの中で最も内側の屈曲手段における股幅方向ＤＣの最内側縁上、または、この最内側縁よりも股幅方向ＤＣの外側に位置することになるように、屈曲手段の位置を選定することが好ましい。
【００８７】
上記（７）の屈曲手段については、外層シート２０へ適用することも可能である。
【００８８】
パンツ型および展開型のいずれのおむつにおいても、実用的な吸収能を確保するうえからは、緊張状態の吸収体１０の股幅方向側縁を基準にして求めた第１レッグ領域１０ａおよび第２レッグ領域１０ｂそれぞれの吸収体１０への平面視上の最大進入深さＬ１（図２参照）を、緊張状態下の吸収体１０の幅の概ね１／６〜１／３の範囲内とすることが好ましく、概ね１／４とすることが更に好ましい。具体的には、吸収体１０の大きさに応じて、概ね１０〜１００ｍｍの範囲内で選定することが好ましい。
【００８９】
なお、第１脚部弾性部材９ａおよび第２脚部弾性部材９ｂの各々を、股部３において互いに離隔した２つの弾性体、すなわち、腹側部１に配置された第１の弾性体と背側部２に配された第２の弾性体とによって構成した場合には、各弾性体について長手方向ＤＬに弾性力が働く地点を考え、当該地点のうちで第１の弾性体における股部３側の最深地点と第２の弾性体における股部３側の最深地点とを結ぶ線を仮想して、上記の最大深さＬ１を規定することも可能である。
【００９０】
また、股漏れを十分に抑制するうえからは、吸収体１０における第１レッグ領域１０ａ、第２レッグ領域１０ｂの長さを、おむつの最大長の概ね１／５〜２／３の範囲内とすることが好ましく、概ね１／４〜１／２の範囲内とすることが更に好ましい。具体的には、吸収体１０の大きさに応じて、概ね１４０〜６００ｍｍの範囲内で選定することが好ましい。
【００９１】
長さＬ２を上述の長さとすることにより、第１レッグ領域１０ａまたは第２レッグ領域１０ｂと着用者の大腿部との間で、股漏れを抑制するに十分な接触面積を確保することが容易になる。
【００９２】
ここで、第１レッグ領域１０ａ、第２レッグ領域１０ｂの長さとは、おむつを図２、図３、または図６に示したように緊張状態の下に保持したときに、吸収体１０における股幅方向ＤＣの側縁で測った長さを意味する。
【００９３】
必要に応じて、図４（Ａ）または図４（Ｂ）に示すように、サイドシート１３Ａ、１３Ｂの内側側面または外側側面に弾性部材２９を固定することができる。図示の例では、サイドシート１３Ａ、１３Ｂの内側側面に弾性部材２９が固定されている。
【００９４】
この弾性部材２９を配することによっておむつの保形性を高め、着用者の大腿部への吸収体１０の密着性を更に向上させることが可能になる。弾性部材２９としては、例えば糸ゴム、平ゴム、弾性フィルム等を用いることができ、その長さは、吸収体１０の長手方向長さと同等とするか、当該長さよりも短くすることが好ましい。
【００９５】
図１３に示すように、第１立体ガード１５Ａ、１５Ｂはサイドシート１３Ａ、１３Ｂと一体化することができる。この場合の第１立体ガード１５Ａ、１５Ｂは、例えば、サイドシート１３Ａ、１３Ｂの幅を図４（Ａ）または図４（Ｂ）に示した状態下での幅よりも広くし、表面シート１２側の一端に弾性部材２７ａ、２７ｂを固定することによって形成される。なお、図１３に示した構成部材のうちで図４（Ｂ）に示した構成部材と機能上共通するものについては、図４（Ｂ）で用いた参照符号と同じ参照符号を付してその説明を省略する。
【００９６】
また、図１４に示すように、吸収体１０のうちで着用者の股間に当てられる領域の股幅方向両側縁部それぞれの上方に、第２立体ガード６０Ａ、６０Ｂを設けることもできる。これらの第２立体ガード６０Ａ、６０Ｂは、例えば図４（Ｂ）に示した第１立体ガード１５Ａ、１５Ｂと同様の構成にすることができる。図中の参照符号６０ａ、６０ｂは立体ガード用シートを示し、参照符号６１ａ、６１ｂは弾性部材を示す。
【００９７】
なお、図１４に示した構成部材のうちで図４（Ｂ）に示した構成部材と機能上共通するものについては、図４（Ｂ）で用いた参照符号と同じ参照符号を付してその説明を省略する。
【００９８】
上記の第２立体ガード６０Ａ、６０Ｂを設けることにより、股漏れを更に抑制することが可能になる。
【００９９】
以上、現時点において最も実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴うおむつもまた本発明の技術的範囲に包含されるものとして理解されなければならない。
【０１００】
【発明の効果】
以上説明したように、本発明によれば、ずれ落ちたときでも股漏れが起こり難いおむつを提供することができる。おむつ着用者の保護者や介護者の負担を軽減することが可能になる。
【図面の簡単な説明】
【図１】第１実施形態のおむつを概略的に示す斜視図である。
【図２】図１に示したパンツ型おむつのサイドシールを剥離して緊張状態の下に展開したものを、着用者の肌に接する側から見たときの様子を概略的に示す平面図である。
【図３】図１に示したパンツ型おむつのサイドシールを剥離して緊張状態の下に展開したものを、着用時に外表面となる側から見たときの様子を概略的に示す平面図である。
【図４】図４（Ａ）は、図２に示したＩＶ−ＩＶ線断面の概略図であり、図４（Ｂ）は、第１立体ガードが立ち上がった状態を概略的に示す断面図である。
【図５】図５（Ａ）は、正規の位置にパンツ型おむつが着用されたときの吸収体および第１立体ガードの状態を概略的に示す断面図であり、図５（Ｂ）は、正規の位置からパンツ型おむつがずれ落ちたときの吸収体および第１立体ガードの状態を概略的に示す断面図である。
【図６】第２実施形態のおむつを緊張状態に保持したときの様子を、着用時に外表面となる側から見たときの様子を概略的に示す平面図である。
【図７】屈曲手段の一例を概略的に示す断面図である。
【図８】屈曲手段の他の一例を概略的に示す断面図である。
【図９】屈曲手段の更に他の一例を概略的に示す断面図である。
【図１０】屈曲手段の更に他の一例を概略的に示す断面図である。
【図１１】屈曲手段の更に他の一例を概略的に示す断面図である。
【図１２】屈曲手段の更に他の一例を概略的に示す断面図である。
【図１３】立体ガードの他の構成例を概略的に示す断面図である。
【図１４】２種類の立体ガードを備えたおむつを概略的に示す断面図である。
【符号の説明】
３Ａ　股下領域
６Ａ、６Ｂ　レッグ部
１０　吸収体
１０ａ　第１レッグ領域
１０ｂ　第２レッグ領域
１１　表面シート
１２　防漏シート
１４　吸収材
１５Ａ、１５Ｂ　第１立体ガード
１７ａ、１７ｂ　股部弾性部材
１４ａ〜１４ｆ　屈曲手段
３０　パンツ型おむつ
５０　展開型おむつ
【図１】
2004049765.tif 000003
【図２】
2004049765.tif 000004
【図３】
2004049765.tif 000005
【図４】
2004049765.tif 000006
【図５】
2004049765.tif 000007
【図６】
2004049765.tif 000008
【図７】
2004049765.tif 000009
【図８】
2004049765.tif 000010
【図９】
2004049765.tif 000011
【図１０】
2004049765.tif 000012
【図１１】
2004049765.tif 000013
【図１２】
2004049765.tif 000014
【図１３】
2004049765.tif 000015
【図１４】
2004049765.tif 000016